(57)【要約】【課題】　浴槽内の水中はもとより浴槽外でも水の飛び散りがなく、また、皮膚に接触させて移動する場合も、スムーズに移動することができ、且つ、吸引力や吸引範囲を自在に調整できるマッサージノズル及びこれを用いたマッサージシステムを提供することを目的とする。【解決手段】　室内に旋回流を生じさせるように設けられた入水口と、前記旋回流を吐水するよう設けられた吐水口と、を有する旋回室と、前記吐水口の内径よりも大きな内径を有する略円筒状のガイド部であって、前記吐水口から吐水される吐水流が衝突するように突出形成されたガイド部と、を備えたことを特徴とするマッサージノズルを提供する。【選択図】　図１
2004136085.tif 000002
【特許請求の範囲】
【請求項１】
　室内に旋回流を生じさせるように設けられた入水口と、前記旋回流を吐水するよう設けられた吐水口と、を有する旋回室と、
　前記吐水口の内径よりも大きな内径を有する略筒状のガイド部であって、前記吐水口から吐水される吐水流が衝突するように突出形成されたガイド部と、
　を備えたことを特徴とするマッサージノズル。
【請求項２】
　室内に旋回流を生じさせるように設けられた入水口と、前記旋回流を吐水するよう設けられた吐水口と、を有する旋回室と、
　前記吐水口の内径よりも大きな内径を有する略筒状のガイド部であって、前記吐水口から前記ガイド部の内壁までの距離をＬ、前記吐水口から吐水される吐水流が前記吐水口を含む面に対してなす角度をθとした時に、前記吐水口からみた前記ガイド部の先端までの高さが１．５×（Ｌ×tan θ）以上となるように突出形成されたガイド部と、
　を備えたことを特徴とするマッサージノズル。
【請求項３】
　前記ガイド部の外径は、マッサージノズルの外径よりも小なることを特徴とする請求項１または２に記載のマッサージノズル。
【請求項４】
　前記ガイド部は、前記吐水口を内包しつつその全周においてマッサージノズル本体に接続されてなることを特徴とする請求項１〜３のいずれか１つに記載のマッサージノズル。
【請求項５】
　前記ガイド部の先端と前記吐水口との間の距離を調節する調節手段をさらに備えたことを特徴とする請求項１〜４のいずれか１つに記載のマッサージノズル。
【請求項６】
　前記ガイド部は、その側面に貫通口を有することを特徴とする請求項１〜５のいずれか１つに記載のマッサージノズル。
【請求項７】
　前記ガイド部は、その内周側における水圧を調整する水圧調整手段を有することを特徴とする請求項１〜６のいずれか１つに記載のマッサージノズル。
【請求項８】
　前記ガイド部の外周側において前記ガイド部を取り囲むように設けられた外周ガイド部をさらに備えたことを特徴とする請求項６または７に記載のマッサージノズル。
【請求項９】
　前記外周ガイド部は、前記吐水口の前方に向けて突出し、前記外周ガイド部に衝突した前記吐水流の少なくとも一部が被処理部位に至ることを特徴とする請求項８記載のマッサージノズル。
【請求項１０】
　前記ガイド部は、前記吐水口よりも後方に向けて延在したスカート部を有し、前記スカート部とマッサージノズル本体との間に、前記吐水流の少なくとも一部を流出させる流路が形成されてなることを特徴とする請求項１〜９のいずれか１つに記載のマッサージノズル。
【請求項１１】
　前記ガイド部は、マッサージノズルに着脱可能に設けられたことを特徴とする請求項１〜１０のいずれか１つに記載のマッサージノズル。
【請求項１２】
　前記ガイド部は、前記吐水口とともに吐水部を構成し、
　前記吐水部は、マッサージノズルに着脱可能に設けられたことを特徴する請求項１〜１１のいずれか１つに記載のマッサージノズル。
【請求項１３】
　前記ガイド部または前記吐水部は、前記旋回流の旋回方向に回転させることによりマッサージノズルに固定可能とされたことを特徴とする請求項１１または１２に記載のマッサージノズル。
【請求項１４】
　前記ガイド部と人体とが接触したことを感知し検出信号を出力する感知手段をさらに備えたことを特徴とする請求項１〜１３のいずれか１つに記載のマッサージノズル。
【請求項１５】
　前記旋回室内に、突出量が変更可能な旋回流制御手段が設けられたことを特徴とする請求項１〜１４のいずれか１つに記載のマッサージノズル。
【請求項１６】
　前記旋回室内の中心軸上に空気取り込み口が設けられたことを特徴とする請求項１〜１５のいずれか１つに記載のマッサージノズル。
【請求項１７】
　送水手段と、
　請求項１〜１６のいずれか１つに記載のマッサージノズルと、
　を備え、
　前記送水手段から前記マッサージノズルの前記入水口を介して前記旋回室に水を供給し、使用者が前記マッサージノズルの前記吐水口に形成される負圧部を利用した吸引マッサージを実施可能としたことを特徴とするマッサージシステム。
【発明の詳細な説明】
【技術分野】
【０００１】
　この発明は、水道水又はポンプなどの水の圧力を利用して、ノズル内で旋回水流をつくり、その中心部に負圧を生じさせて吸引作用を持たせ、水中のみならず大気中においても、身体に吸引圧を作用させるマッサージノズル及びこれを用いたマッサージシステムに関する。
【背景技術】
【０００２】
　身体の皮膚表面をマッサージして血液の循環を活性化する美容や健康増進を目的としたマッサージ器は広く用いられている。このような従来のマッサージ器としては、例えば電動式の肩たたき器や腰もみ器、減圧状態にした吸入孔を身体表面に吸着させて使う器具など等が知られている。
【０００３】
　しかしながら、このような従来のマッサージ器は単に揉むだけ、または吸引するだけのもので、マッサージ効果として十分満足できるものではなく、使い勝手と、優れたマッサージ効果を兼ね備えて実現したものはこれまでになかった。
【０００４】
　水を用いたマッサージ装置としては、ノズル内部の周壁に沿って加圧液体を接線方向に流入させ、且つ外気を導入して気泡を生じさせるとともに、吐水口近傍で吸引することができる吸引マッサージ気泡噴流装置が考案されている（例えば、特許文献１参照）。この考案では、吐水口近傍に複数個の突起を設けたことでノズルの身体への押し圧の変化により、吐水流の強弱を変化させることができる。
【０００５】
　また、一端を閉じ、他端を開放状とした円筒体内にその内周接線方向に加圧液体を導入する開口と、上記閉塞端に円筒体の中心位置で外気を導入する開口とを設け、さらに、円筒体の外側に案内筒を設けて吐水口近傍で吸引することができるマッサージ器が考案されている（例えば、特許文献２参照）。この発明では、吐出された水が案内筒により方向を反転して流れることにより、吐水口近傍の負圧部が拡大した状態で身体を吸引することができる。
【特許文献１】実開昭６３−７４１３４公報
【特許文献２】実開平４−５５３３７公報
【発明の開示】
【発明が解決しようとする課題】
【０００６】
　しかし、これらの考案にかかるマッサージ器は、吐水口から水が周囲に飛散するという問題を有していた。すなわち、特許文献２に記載されているマッサージ器を空気中で使用した場合に、案内筒を皮膚に当てている間は吐水の飛び散りは少ないが、皮膚から案内筒を離すと、吐水が周囲に円錐状に飛散し、使用者やその周囲にいる人間あるいは浴室壁などを不必要に濡らすために不快感を与えるという問題があった。また、特許文献１に記載されているように、吐水口の周囲に突起などを設けた場合には、空気中での使用に際して、突起と皮膚との接触の有無に関わらず吐水口からの水の飛び散りが激しく、使用に際し大変使い勝手が悪く不快であった。
【０００７】
　また、これら従来のマッサージ器の案内筒や突起を皮膚に接触させながら移動させる場合には、案内筒や突起と皮膚との間の摩擦力によりマッサージ器本体を移動させづらかった。また、吸引マッサージ中に他の部位に移動させようとして体からノズルを引き離す際に、マッサージ器本体が吸引力で体に吸い付いているため離れにくく引き離す力が必要となり、使用者にとって操作が難しかった。さらに、従来の技術では吐水口の大きさや、吐水口と皮膚接触面の距離を自由に調節できないために、吸引力や吸引力が及ぶ範囲を自由に調節することが困難であった。
【０００８】
　さらに、特許文献２に記載されているように円筒体の外側に案内筒を設けた場合には、吐水口近傍の吸引圧を受ける人体部位と案内筒先端が接触している人体部位との距離が離れているため、吸引による皮膚の引っ張り刺激が弱まるという問題があった。
【０００９】
　本発明はこれらの問題点に鑑みてなされたものであり、その目的は、浴槽内の水中はもとより浴槽外でも水の飛び散りがなく、また、皮膚に接触させて移動する場合も、スムーズに移動することができ、且つ、吸引力や吸引範囲を自在に調整できるマッサージノズル及びこれを用いたマッサージシステムを提供することにある。
【課題を解決するための手段】
【００１０】
　上記目的を達成するために、本発明の第１のマッサージノズルは、室内に旋回流を生じさせるように設けられた入水口と、前記旋回流を吐水するよう設けられた吐水口と、を有する旋回室と、前記吐水口の内径よりも大きな内径を有する略筒状のガイド部であって、前記吐水口から吐水される吐水流が衝突するように突出形成されたガイド部と、を備えたことを特徴とする。
【００１１】
　上記構成によれば、空気中で使用した場合には円錐状に飛び散った水がガイド部に衝突するため水の飛散が抑制される。また、空気中や水中で使用した場合に、吐水された水がガイド部先端部と皮膚との間に介することによって移動時の摩擦が抑えられるため、マッサージノズルをスムーズに移動させることができる。
【００１２】
　また、ガイド部を設けることにより、吐水口と被処理部位（人体）との間隔を最適な範囲に維持することが容易となる。すなわち、吐水口近傍には、吸引力と吐水流による押圧力とのバランスが最適な領域が存在する。ガイド部を設け、その先端を被処理部位に押し当てるように使用すれば、被処理部位を常にこの最適な領域に維持して最良のマッサージ効果を再現できる。
【００１３】
　またさらに、ガイド部を被処理部位に接触させることによる押圧の効果も得られる。すなわち、ガイド部を被処理部位に押し当てると、その部分では押圧作用が得られ、一方、その内側では、被処理部位に吸引力による引っ張り作用が働く。従って、被処理部位に対して、これら押圧と吸引とによるマッサージ効果を与えることができる。特に、吸引圧を受ける部分とガイド部先端が接触して押圧を受ける部分との距離が近いと、吸引による皮膚の引っ張り刺激をより強くすることができる。
【００１４】
　なおここで、「略筒状」とは、円筒状はもとより、楕円筒体や多角形の筒状体、もしくは不定形の筒状体も含む。またさらに、その内径は長さ方向にみて均一であってもよく、または、開放端に向けて内径が拡がる拡開状の筒状や、逆に開放端に向けて内径が狭まる絞り状の筒状であってもよい。
【００１５】
　ただし、ガイド部を拡開状に形成する場合、吐水流を衝突させて飛散を効果的に防ぐためには、吐水口から連続的な拡開するガイド部を形成することは望ましくない。このため、本発明においては、ガイド部を略筒状に形成する。さらに、その内径を吐水口の内径よりも大なるものとする。ガイド部を拡開状に形成する場合においても、その内径の最小値は、吐水口４の内径よりも大なるものとする。このようにすれば、ガイド部が、吐水口から連続的に拡開する形状となることはなく、吐水流の飛散を効果的に防止できる。
【００１６】
　また、本発明の第２のマッサージノズルは、室内に旋回流を生じさせるように設けられた入水口と、前記旋回流を吐水するよう設けられた吐水口と、を有する旋回室と、前記吐水口の内径よりも大きな内径を有する略筒状のガイド部であって、前記吐水口から前記ガイド部の内壁までの距離をＬ、前記吐水口から吐水される吐水流が前記吐水口を含む面に対してなす角度をθとした時に、前記吐水口からみた前記ガイド部の先端までの高さが１．５×（Ｌ×tan θ）以上となるように突出形成されたガイド部と、を備えたことを特徴とする。
【００１７】
　上記構成によれば、前記吐水口からみた前記ガイド部の先端までの高さを１．５×（Ｌ×tan θ）以上とすることにより、吐水流をガイド部の内壁に確実に衝突させ、水の飛散を効果的に抑制することができる。
【００１８】
　またもちろん、第１のマッサージノズルと同様に、ガイド部を設けることにより、吐水口と被処理部位（人体）との間隔を最適な範囲に維持することが容易となる。またさらに、ガイド部を被処理部位に接触させることによる押圧の効果も得られる。
【００１９】
　ここで、前記ガイド部の外径は、マッサージノズルの外径よりも小なるものとすることができる。
【００２０】
　ガイド部をマッサージノズル本体よりも小径に形成すれば、マッサージノズルをコンパクトにでき、使用者が持ちやすく、操作性も良好で、ノズルの位置も自在に調節できる。さらにまた、ガイド部を小径に形成すれば、上述したように、吸引圧を受ける被処理部位とガイド部先端との距離を近くできるので、吸引による皮膚の引っ張り刺激をより強くすることができる。
【００２１】
　また一方、前記ガイド部は、前記吐水口を内包しつつその全周においてマッサージノズル本体に接続されてなるものとすることができる。このようにすれば、吐水口から吐水される吐水流は、ガイド部の先端と被処理部位との間を確実に流出して水膜を形成する。吐水された水がガイド部先端と被処理部位との間に介在することにより、マッサージノズルを移動させる際の摩擦抵抗が低減し、被処理部位に過度の刺激を与えることなく、スムーズにマッサージノズルを移動させることができる。
【００２２】
　また一方、前記ガイド部の先端と前記吐水口との間の距離を調節する調節手段をさらに備えたものとすることができる。
【００２３】
　このような構成とすることによって、先端部と皮膚との距離を任意に調整できるため、皮膚に対する吸引力や吸引力によって生じる皮膚の変位を好みに応じて調節することが可能となる。
【００２４】
　また一方、前記ガイド部は、その側面に貫通口を有するものとすることができる。
【００２５】
　このような構成とすることによって、人体にマッサージノズルを接触させて吐水する場合に、吐水口から出た水がガイド部先端と人体を介し流れるとともに、一部の水は貫通口を通して漏れ出すため過剰な吐水力が皮膚に達することを抑制できる。よって、吐水量が多い場合などは吐水による皮膚への押し圧と吸引力を調整することができる。
【００２６】
　また一方、前記ガイド部は、その内周側における水圧を調整する水圧調整手段を有するものとすることができる。
【００２７】
　このような構成とすることによって、人体にマッサージノズルを接触させて吐水する場合に、吐水口から出た水がガイド部先端と人体を介し流れるとともに、ガイド部に設けられた水圧調整手段によりガイド部内側の水圧が調整されるため過剰な吐水力が皮膚に達することを抑制することができる。
【００２８】
　ここで、前記ガイド部の外周側において前記ガイド部を取り囲むように設けられた外周ガイド部をさらに備えたものとすることができる。
【００２９】
　外周ガイド部によってさらに旋回成分を抑制・整流し、吐水の飛散を抑えることができる。
【００３０】
　また、前記外周ガイド部は、前記吐水口の前方に向けて突出し、前記外周ガイド部に衝突した前記吐水流の少なくとも一部が被処理部位に至るものとすることができる。
【００３１】
　このようにすれば、貫通口や水圧調整手段から漏れ出した水も外周ガイド部に当たり人体方向へと導かれるので飛散の心配もない。よって、吐水量が多い場合などは吐水による皮膚への押し圧と吸引力を調整することができ、かつ、過剰な水も飛散することなく快適にマッサージすることが可能となる。また、吐水された水が外周ガイド部の先端部と皮膚との間に介することによって移動時の摩擦が抑えられるため、マッサージノズルをスムーズに移動させることができる。
【００３２】
　また、ガイド部に貫通口を設ければ、逃げ水路を形成して吸引面積を拡大させ、逃げ水路を人体方向に開口することでさらに吐水刺激も得ることができる。
【００３３】
　また、前記ガイド部は、前記吐水口よりも後方に向けて延在したスカート部を有し、前記スカート部とマッサージノズル本体との間に、前記吐水流の少なくとも一部を流出させる流路が形成されてなるものとすることができる。
【００３４】
　このような構成とすることによって、人体にマッサージノズルを接触させて吐水する場合に、吐水口から出た水がガイド部先端と人体を介し流れるとともに、一部の水はスカート部の下の流路を通して漏れ出すため過剰な吐水力が皮膚に達することを抑制できる。よって、吐水量が多い場合などは吐水による皮膚への押し圧と吸引力を調整することができる。
【００３５】
　また一方、前記ガイド部は、マッサージノズルに着脱可能に設けられたものとすることができる。
【００３６】
　このような構成とすることによって、ガイド部径方向への大きさや形さらには高さを変えた着脱部を自在に付け替えることが可能となる。よって、皮膚に対する吸引力や、吸引力によって生じる皮膚の変位を好みに応じて選択して使用することが可能となる。
【００３７】
　また一方、前記ガイド部は、前記吐水口とともに吐水部を構成し、前記吐水部は、マッサージノズルに着脱可能に設けられたものとすることができる。
【００３８】
　このような構成とすることによって、吐水口の径やガイド部の大きさや形さらには高さを変えた吐出部を自在に付け替えることが可能となる。よって、吐水口の径を変えることにより吐水口近傍の押し圧や吸引力を変化させることができるとともに、ガイド部の高さを変えることにより吐水口と皮膚との距離を変化させることができるため、皮膚に対する吸引力や、吸引力によって生じる皮膚の変位を好みに応じて選択して使用することが可能となる。
【００３９】
　ここで、前記ガイド部または前記吐水部は、前記旋回流の旋回方向に回転させることによりマッサージノズルに固定可能とすることができる。
【００４０】
　例えば、旋回流の旋回方向が時計回りの場合、ガイド部や吐水部には、旋回流の作用により時計周りの力が加わる。そこで、この方向に回転させて固定可能とすれば、水流によってガイド部や吐水部は固定される方向へと導かれる。従って、マッサージノズルを使用中に、ガイド部や吐水部が回転したり、若しくは浴槽内に飛び出したりすることが無くなり、信頼性が向上する。
【００４１】
　また一方、前記ガイド部と人体とが接触したことを感知し検出信号を出力する感知手段をさらに備えたものとすることができる。
【００４２】
　このような構成とすることによって、マッサージを行いたい部位にマッサージノズルを接触させた場合にのみ吐水されることで、不要時の吐水を気にせずに快適に使用することが可能となる。また、別の部位に移動させたい場合に、人体から遠ざけるだけで吸引力をなくすことができるため操作性が向上する。
【００４３】
　また一方、前記旋回室内に、突出量が変更可能な旋回流制御手段が設けられたものとすることができる。
【００４４】
　このような構成とすることによって、突出量を制御することで、旋回室内の流れを変化させ、旋回流を制御することが可能となる。これにより、旋回流の強弱（すなわち遠心方向の力）が可変となるため、吐水口からの旋回吐水方向、および中心部に発生する吸引力を可変とすることが可能となり、使用者は好みに応じて吸引マッサージの強弱を簡便に変化させることができ、使用感が向上する。
【００４５】
　また一方、前記旋回室内の中心軸上に空気取り込み口が設けられたものとすることができる。
【００４６】
　このような構成とすることによって、旋回室中心部付近は負圧となる領域が生じるために、空気取り込み口から空気が旋回室中心部に吸引され、気泡を巻き込んだ水が吐水される。これによって、水の飛散がさらに抑制される。
【００４７】
　一方、本発明のマッサージシステムは、送水手段と、上記のいずれかのマッサージノズルと、を備え、前記送水手段から前記マッサージノズルの前記入水口を介して前記旋回室に水を供給し、使用者が前記マッサージノズルの前記吐水口に形成される負圧部を利用した吸引マッサージを実施可能としたことを特徴とする。
【００４８】
　上記構成によれば、吐水の飛散が抑制され、また、水膜がガイド部先端部と皮膚との間に介することによって移動時の摩擦が抑えられマッサージノズルをスムーズに移動させることができるマッサージシステムを提供できる。また、ガイド部を設けることにより、吐水口と被処理部位（人体）との間隔を最適な範囲に維持することが容易となり、常に最良のマッサージ効果を再現できる。またさらに、ガイド部を被処理部位に接触させることによる押圧の効果も得られる。その結果として、例えば、限られた送水能力を十分に生かして、効率のよいマッサージが可能なマッサージシステムを提供できる。
【発明の効果】
【００４９】
　本発明のマッサージノズルでは、入水口に水を供給すると、吐水口近傍にノズル内部へ向かう吸引力とガイド部先端の押し圧の相乗効果により、皮膚の引っ張り刺激をより強くすることができる。また、空気中で使用した場合には円錐状に飛び散った水がガイド部に衝突するため、水の飛散が抑制されるとともに、空気中や水中で使用した場合には、吐水された水がガイド部先端部と皮膚の間に介することによって移動時の摩擦抵抗が抑えられるため、スムーズにマッサージノズルを移動させることができる。
【００５０】
　また同時に、ガイド部の高さ（吐水口からの突出量）を適宜設定することにより、非処理部位に作用する吸引力を最適な値に調節することができる。　
　以上、本発明のマッサージノズルは、浴室内で使用することにより人体に快適な吸引マッサージを与えることができ、使用者の入浴行為を更に支援し有益とするものである。
【発明を実施するための最良の形態】
【００５１】
　以下、本発明の実施の形態について図面を参照しつつ説明する。
【００５２】
　図１〜図３は、本発明の実施の形態にかかるマッサージノズルの構成図であり、図１は斜視図、図２は断面図である。また、図３は、図２のＡ−Ａ線断面図である。　
　マッサージノズル１０は、円筒状の旋回室３を有しかつ旋回室３の周壁の接線方向に開口した入水口５を有する旋回部１と、入水口５へ連通するよう開口された導入路６を内部に有する接続部２と、を有する。旋回部１は、さらに吐水口４を有しかつ旋回室３から吐水口４へと断面積が滑らかに変化するよう設けられた旋回流路７を有する。そして、マッサージノズル１０の吐水口４が設けられた面であって、吐水口内径Ｄ１よりも大きい範囲の位置に、ガイド部５０が突出して形成されている。すなわち、ガイド部５０は、吐水口４を内包しつつその全周においてマッサージノズルの本体（旋回部１）に接続されている。
【００５３】
　このガイド部５０は、吐水口４から略円錐状に吐水された旋回流が衝突するように吐水口４よりも前方に突出して形成されている。ガイド部５０は、図示の如く、マッサージノズル外径Ｄ２よりも小さな範囲の位置に設けることができる。ただし、後に詳述するように、マッサージノズルの外径Ｄ２よりも大きなガイド部を設けてもよい。
【００５４】
　なお、ガイド部５０の形状は図１のような円筒体はもとより、楕円筒体や多角形の筒状体、もしくは不定形の筒状体でも構わない。吐水口の面積は大きければ人体に対する吸引を受ける面積が大きくなり、広い範囲を一度にマッサージすることが可能となる。一方吐水口の面積が小さければ人体の凹凸に対応して人体細部までマッサージすることができ、使用者のニーズに応えることが可能となる。
【００５５】
　吐水口４の大きさは、人体と接触させ作用することを考慮するとφ５ｍｍからφ８０ｍｍが望ましい。吐水口の径がφ８０ｍｍよりも大きいと人体の起伏にそって操作しにくく、また装置が大きくなるため操作性に乏しいからである。また、吐水口４の大きさの上限をφ５０ｍｍとすると、人体の起伏に対してさらに柔軟に追従させることが可能となり、操作性も向上する点でさらに望ましい。また逆に、吐水口の径がφ５ｍｍよりも小さいと、人体に対してマッサージ効果及びマッサージ感が乏しくなる。ガイド部先端は、人体と接触する場合があるので安全を考慮して端面は曲面とすることが望ましい。　
　また、ガイド部５０の先端は、人体と接触する場合があるので安全を考慮して端面は曲面とすることが望ましい。
【００５６】
　接続部２は、例えば一般のシャワーヘッドと交換可能なようにネジ等を設けておけば、シャワーホースに連結することができ、水道直結型として使用することができる。また、例えばブロー浴器の吐水口に接続可能にネジ等を設けておけば、浴槽水循環型として使用することができる。
【００５７】
　図３及び図４を参照しながら、動作の説明をする。このマッサージノズル１０は、浴槽水などの水中や浴室内などの空気中で利用するものである。　
　水源（例えば上水道や浴槽水循環ポンプ）から送られた水は、接続部２内の導入路６を通り、旋回部１内の入水口５から旋回室３へと導入される。この際、入水口５は旋回室３の接線方向に開口されているので、旋回室３内に導入された水は、旋回流となる。旋回流は、旋回流路７内で徐々に流速を速めながら吐水口４に達し、吐水口４から円錐状の旋回吐水（図中Ａ）となってガイド部５０の内周側に衝突し、勢いの弱い水がガイド部内周から吐水される。
【００５８】
　また、旋回流がもつ遠心力によって、中心部に負圧部が生じるため、吐水口４の中心軸に沿ってマッサージノズル１０外からマッサージノズル１０内に引き込もうとする力（吸引力と呼ぶ、図中Ｂ）が生じる。ガイド部５０を人体に近づけてガイド部５０の先端に接触させると、皮膚が吐水による吸引力により図中Ｃのように吐水口４に向かって引っ張られ適度なマッサージ感（引っ張り感と呼ぶ）を得ることができる。
【００５９】
　この引っ張り感は、ガイド部５０の先端の接触による皮膚への押し圧と吐水口近傍の吸引力の関係で感じ方が大きく左右され、押し圧と吸引力の作用する距離が近い方が、より引っ張り感を強くすることができる。
【００６０】
　また、吐水された水がガイド部先端部と皮膚の間に介する（図中Ｄ）ことによって移動時の摩擦抵抗が抑えられるため、スムーズにマッサージノズル１０を移動させることができる。つまり、吐水口４から矢印Ａの方向に吐水された旋回流をガイド部５０の内壁に衝突させることにより、そのガイド部５０の内壁に沿って流出する水流を形成することができる。この水流は、矢印Ｄで表したように、ガイド部５０の先端と使用者の皮膚との間に均質な水膜を形成する。その結果として、皮膚は常にこの水膜に保護された状態となり、吸引状態を維持しつつ、皮膚に摩擦感や過度の刺激を与えることなくマッサージノズルを滑らかに移動させることができる。
【００６１】
　次に、ガイド部５０による吐水の飛散防止効果についてさらに詳細に説明する。　図５は、ガイド部５０が設けられてない比較例のマッサージノズルを表す模式図である。すなわち、ガイド部５０が設けられていない場合、旋回室で形成された旋回流は、矢印Ａで表したように、吐水口４から周囲に広角度に飛散する。
【００６２】
　これに対して、図６に表したようにガイド部５０を設けることにより、吐水口４から矢印Ａの方向に吐水された旋回吐水は、ガイド部５０に衝突し、その水勢が弱められる。またさらに、ガイド部５０に衝突した吐水は、ガイド部５０の内壁に沿って流れ、矢印Ａ’で表したように、集束された吐水流となって吐水口４の前方に向けて放出される。つまり、ガイド部５０を設けることにより、吐水流の飛散を抑えて、旋回吐水の周囲への飛散を効果的に抑止できる。
【００６３】
　この点に関して、本発明者は、実験に基づく定量的な評価を行った。
【００６４】
　図７（ａ）は、マッサージノズルに供給する水の流量と、旋回流の吐水角度との関係を表すグラフ図である。すなわち、同図の横軸は流量（リッター毎分）を表し、縦軸は旋回流の吐水角度を表す。ここで、吐水角度は、同図（ｂ）に表したように、吐水流の拡がり角度として測定した。　
　図７（ａ）には、以下の３種類のマッサージノズルのデータを表した。
　　　　　　　　吐水口の径　　旋回室の内径Ｄ３
　　　　　　　　２５ｍｍφ　　　４５ｍｍφ
　　　　　　　　３０ｍｍφ　　　４５ｍｍφ
　　　　　　　　３０ｍｍφ　　　３０ｍｍφ
　なお、いずれのマッサージノズルにおいても、旋回室の長さＬ１は４５ｍｍ、入水口５の面積は８９ｍｍ２とした。
【００６５】
　図７（ａ）から、いずれのマッサージノズルにおいても、流量が毎分１０リッターの場合にはやや吐水角度が小さいが、流量が毎分２０リッター以上になると、吐水角度がほぼ一定の値をとることが分かる。これは、流量が毎分２０リッター以上においては、いずれのマッサージノズルにおいても旋回流が安定して形成されることを意味するものと考えられる。
【００６６】
　また、吐水口の径について比較すると、吐水口が２５ｍｍφのマッサージノズルのほうが３５ｍｍφのものよりも吐水角度が大きいことが分かる。これは、旋回流路７（図２参照）における内径の絞りの効果によって、吐水角度が大きくなるからであると考えられる。　
　吐水口が３０ｍｍφで旋回室の内径Ｄ３が４５ｍｍφのマッサージノズルと旋回室の内径Ｄ３が３０ｍｍφのものとを比較すると、内径Ｄ３が３０ｍｍφのほうが吐水角度が小さい。つまり、後者のマッサージノズルにおいては、旋回流路７が設けられていないために、旋回室における内径の絞りの効果はなく、吐水角度が最も小さくなるものと考えられる。
【００６７】
　図８は、ガイド部５０を設けることによる吐水の放出状態の変化を表す写真である。すなわち、同図（ａ）は、ガイド部５０を設けない場合、同図（ｂ）はガイド部５０の高さ（吐水口からガイド部５０の先端までの距離）が１０ｍｍの場合、同図（ｃ）はガイド部５０の高さが２０ｍｍの場合、同図（ｄ）はガイド部５０の高さが３０ｍｍの場合をそれぞれ表す。またここで、いずれの場合にも、旋回室の内径Ｄ３は４５ｍｍφ、旋回室の長さＬ１は４５ｍｍ、吐水口の径は２５ｍｍφ、ガイド部５０の内径は６０ｍｍφ、入水口５の面積は８９ｍｍ２、水の流量は毎分２０リッターとした。
【００６８】
　図８から、ガイド部の高さが１０ｍｍの場合（図８（ｂ））は、吐水角度がガイド部なしの場合（図８（ａ））とあまり変わらないが、ガイド部の高さが２０ｍｍ以上によると（図８（ｃ）及び（ｄ））、吐水角度が顕著に小さくなることが分かる。
【００６９】
　本発明者は、吐水口の径などの構造パラメータを変えたマッサージノズルを試作し、図８に表したようにガイド部５０を高さを変えて吐水角度を測定した。
【００７０】
　図９（ａ）は、ガイド部５０の高さと吐水角度との関係を表すグラフ図である。すなわち、同図の横軸はガイド部の高さ（吐水口からガイド部の先端までの距離）を表し、縦軸は吐水角度を表す。これらの定義は、図９（ｂ）に表した如くである。
【００７１】
　また図９には、吐水口の径が２５ｍｍφのマッサージノズルと、４０ｍｍφのマッサージノズルについて、それぞれ流量を毎分２０リッター及び毎分４０リッターとした場合の結果をそれぞれ表した。これらいずれの場合にも、旋回室の内径Ｄ３は４５ｍｍφ、旋回室の長さＬ１は４５ｍｍ、ガイド部５０の内径は６０ｍｍφ、入水口５の面積は８９ｍｍ２とした。
【００７２】
　図９（ａ）を見ると、吐水口２５ｍｍφの場合、ガイド部５０が設けられていない場合（高さがゼロ）には、吐水角度は約１４０度（吐水口２５ｍｍφ）であり、ガイド部５０の高さを１０ｍｍとした場合には、吐水角度に殆ど変化がないことが分かる。しかし、ガイド部５０の高さを１５ｍｍにすると、吐水角度は５０度以下にまで急激に低下する。そして、ガイド部５０の高さを２０ｍｍ、３０ｍｍ、５０ｍｍと増加しても、吐水角度はあまり変化しない。つまり、ガイド部５０の高さが１５ｍｍを超えると吐水角度が臨界的に小さくなり、吐水の飛散が顕著に抑制されることが分かる。
【００７３】
　同様の傾向は吐水口４０ｍｍφの場合にも見られる。すなわち、吐水口４０ｍｍφの場合には、ガイド部５０を設けない時と比べて、高さが１０ｍｍのガイド部を設けると吐水角度が約１２０度から８０度にまで急激に低下し、ガイド部５０をそれ以上高くしても吐水角度の低下は緩やかである。
【００７４】
　以上の結果から、吐水角度を抑制するためのガイド部５０の高さには臨界的な下限が存在することが考えられる。　
　図１０は、マッサージノズルの模式断面図である。すなわち、吐水口４から放出される吐水流Ａは、ガイド部５０に衝突してその水勢が抑制され、また放出方向が変えられて飛散が防止される。　
　ここで、吐水流Ａが吐水口を含む面に対してなす角度をθとし、吐水口４からガイド部５０までの距離をＬ３とすると、吐水流Ａがガイド部５０に衝突する地点の高さは、（Ｌ３×tanθ）と表すことができる。図７及び図９（ａ）に表した測定結果からこれらを計算すると以下の如くである。
　　　　吐水口　　　　θ　　　　Ｌ３　　　（Ｌ３×tanθ）
　　　２５ｍｍφ　　２２度　　１７．５ｍｍ　　７．１ｍｍ
　　　４０ｍｍφ　　３０度　　１０ｍｍ　　　　５．８ｍｍ
　一方、図９に表した実験結果から、吐水角度が臨界的に低下するガイド部５０の高さは、吐水口２５ｍｍφの場合に１０ｍｍ〜１５ｍｍの範囲内にあり、吐水口４０ｍｍφの場合に１０ｍｍよりも小なることが分かる。従って、いずれの吐水口の場合にも、ガイド部５０の高さを、（Ｌ３×tanθ）の概ね１．５倍以上、より望ましくは２倍以上とすれば、吐水角度を臨界的に小さくでき、吐水の飛散を顕著に抑制できるといえる。
【００７５】
　図１１は、マッサージノズル１０の使用状態を例示する模式図である。　
　すなわち、図１乃至図１０に例示したようなマッサージノズル１０は、浴室の浴槽内において、水中に沈めた状態で使用することができる。図１１（ａ）に表したように、使用者２００は、浴槽１４０にはった水（お湯）１６０の中において、マッサージノズル１０を脚部や太もも、臀部や腹部など様々な非処理部位にあてて吸引マッサージを実施することができる。
【００７６】
　ところが、このような吸引マッサージの途中で、図１１（ｂ）に表したように、使用者２００が不用意にマッサージノズル１０を大気中に露出させることもある。また、吸引マッサージの開始時には、マッサージノズル１０が大気中に設置されている場合もあり、このような場合にも、ノズル１０が大気中に開放された状態で吐水が放出されることとなる。
【００７７】
　このような場合に、ガイド部５０が設けられていないと、図５や図８（ａ）などに表したように、吐水口４から周囲に広角度に旋回吐水が飛散し、使用者の顔や身体、あるいは周囲の人間や浴室内に水がかかってしまう。これに対して、本発明によれば、ガイド部５０を設けることにより、図６や図８（ｃ）、（ｄ）に表したように、旋回吐水の広角度の飛散を抑制し、使用者自身や周囲に与える不快感を大幅に低減できる。特に、図１０に関して前述したように、ガイド部５０の高さを、（Ｌ３×tanθ）の概ね１．５倍以上、さにら望ましくは２倍以上とすれば、吐水角度を臨界的に小さくでき、吐水の飛散を顕著に抑制できることが分かる。
【００７８】
　なお、マッサージノズル１０を空気中に露出させた状態で吸引マッサージを実施するような場合においても、旋回吐水の飛散を抑止して、快適なマッサージを実施できることはもちろんである。
【００７９】
　一方、本発明によれば、ガイド部５０を設けることにより、吐水口４から被処理部位までの距離を最適な範囲に固定し、常に最適な吸引力が得られる状態を維持することも容易となる。　
　本発明者は、マッサージノズル１０において形成される吸引力の吐水口４からの距離に対する分布を調べた。
【００８０】
　図１２は、本発明者が実施した測定の方法を表す模式図である。すなわち、いくつかの吸引マッサージノズルの吐水口４の正面に受圧板３００を配置し、この受圧板３００に負荷される吸引力を測定した。測定した吸引マッサージノズルの構造パラメータは以下の通りである。なお、受圧板３００は、ノズルの吐水口と同一のサイズ及び形状（円形）を有する。
　　　　　　　　　　　　　　　　　　タイプ１　　　　タイプ２
　　入水口５の幅Ｗ１（ｍｍ）　　　　 １３．５　　　　７．５
　　入水口５の幅Ｗ２（ｍｍ）　　　　　 ７．５　　　１３．５
　　入水口５の流路断面積（ｍｍ２）　 　　　　　８９
　　旋回室の内径Ｄ３（ｍｍ）　　　　　　　　　４５
　　旋回室から吐水口までの距離Ｌ１（ｍｍ）　　４５
　　旋回流路７の長さＬ２（ｍｍ）　　　　　　　２５
　なおここで、入水口５の「幅Ｗ１」とは、旋回流ＣＦの旋回軸Ｚに対して平行な方向に沿った入水口５の幅であり、「幅Ｗ２」とは旋回軸Ｚに対して垂直な方向にそった入水口５の幅である。また、吐水口４の直径としては、１５ｍｍφと３０ｍｍφの２種類を採用した。
【００８１】
　本発明者は、これらのマッサージノズルに同一の送水能力を有する送水ポンプをそれぞれ接続し、吸引力の測定を行った。図１３は、これらノズルについて吐水口からの距離と吸引力との関係を表すグラフ図である。すなわち、同図の横軸は吐水口４から受圧板３００までの距離を表し、縦軸は受圧板３００に作用した吸引力を表す。　
　図１３から、タイプ１のノズルのほうがタイプ２のノズルよりも強い吸引力が得られていることが分かる。すなわち、旋回軸Ｚに対して平行な方向に沿った入水口５の幅Ｗ１のほうが旋回軸Ｚに対して垂直な方向に沿った入水口５の幅Ｗ２よりも大きい入水口５を有するノズルの方が、効率よく吸引力を発生でき、より高いマッサージ効果を得ることができることが分かる。
【００８２】
　これは、入水口５の開口中心が旋回軸Ｚから遠くなるので、水流に与えるモーメントが増加し、旋回流ＣＦを十分に発達させやすいからである。つまり、このように入水口５を扁平状に設けることにより、効率良く旋回流を発達させてさらに強い吸引力を発生させることができる。このため、少ない送水能力の送水ポンプや給湯設備を用いた場合でもさらに強い吸引力が得られ、従来よりも顕著な各種の生体効果が得られると同時に、ランニングコストや設置スペースなどの削減も可能となる。
【００８３】
　そして、図１３から、いずれのタイプのマッサージノズルにおいても、吐水口４からの距離に対して、吸引力は極大を有する変化をすることが分かる。つまり、吐水口４から遠ざかるにつれ、吸引力は増加してピークの値を示し、さらに吐水口４から遠ざかると吸引力は再び低下する。つまり、最大の吸引力が得られる最適な距離が存在する。しかし、ガイド部５０を設けない場合に、吐水口４から非処理部位までの距離をこのような距離に維持することは容易ではない。
【００８４】
　これに対して、本発明においては、図６に表したように吐水口４から吐水される旋回流をガイド部５０の内壁に衝突させるようにガイド部５０を設けておくと、使用者がガイド部５０を非処理部位に軽くあてることにより、常に安定した強い吸引マッサージを実施することができる。つまり、本発明においては、ガイド部５０の高さと内径とを適宜設定することにより、吐水流の飛散を防止すると同時に強い吸引力を得ることもできる。
【００８５】
　特に、図１３のタイプ１のノズルのように旋回流の旋回モーメントがより強く、旋回吐水力が強い場合には、吐水の飛散を抑制できる本発明のガイド部を用いることがより効果的となる。
【００８６】
　次に、本発明のマッサージノズルにおいて設けることができるガイド部の変型例について説明する。
【００８７】
　図１４は、本発明の第２の実施例のマッサージノズルの正面図である。　
　また、図１５は、そのＡ−Ａ線断面図である。これらの図については、図１乃至図１３に関して前述したものと同様の要素には同一の符号を付して詳細な説明は省略する。　
　本実施例においても、マッサージノズル１０の前面に、リング状に突出した略円筒状のガイド部５０が設けられている。ただし、その内径は、マッサージノズルの外径Ｄ２よりも大きい。このように、マッサージノズルの外径Ｄ２よりも大きな内径を有するガイド部５０を設けた場合も、図６に関して前述したような吐水流の飛散防止効果を得ることが可能である。すなわち、同図に矢印Ａで表したように、吐水口４から広角に吐水された旋回流はガイド部５０の内壁に衝突して水勢が弱られ、その内壁に沿って矢印Ｄの方向に流出することにより、ガイド部５０と非処理部位２１０との間に均質な水膜を形成する。
【００８８】
　またさらに、ガイド部５０の高さ（吐水口４からの突出量）を適宜調節することにより、図１３に関して前述したように吸引力を最適な値に調節することができる。　
　本実施例は、例えば、マッサージノズルの外径Ｄ２が特に小さい場合などに実施して好適である。
【００８９】
　図１６は、本発明の第３の実施例のマッサージノズルの正面図である。　
　また、図１７は、そのＡ−Ａ線断面図である。これらの図についても、図１乃至図１５に関して前述したものと同様の要素には同一の符号を付して詳細な説明は省略する。　
　本実施例においても、マッサージノズル１０の前面に、ガイド部５０が設けられている。このガイド部５０は、吐水口４の前面にリング状に突出したガイドリング部５０Ａと、マッサージノズル１０の側面から略後方に向けて延在したスカート部５０Ｂと、を有する。
【００９０】
　ガイドリング部５０Ａは、吐水口４から吐水される旋回流がその内壁に衝突するように設けられている。その結果として、図６に関して前述したように、吐水流の飛散を効果的に防止することができる。また同時に、ガイドリング部５０Ａの高さ（吐水口４からの突出量）を適宜設定することにより、図１３に関して前述したように吸引力を最適な値に調節することができる。　
　またさらに、ガイド５０の後方に延在するスカート部５０Ｂを設けて、吐水口４から吐出された水の一部をマッサージノズル１０の後方に逃がす放出水路２３を形成することができる。つまり、吐水口４から吐出された水の一部は矢印Ｄの如く、被処理部位２１０とガイドリング部５０Ａの先端との間に水膜を形成し、非処理部位２１０を保護する。一方、吐水流の他の一部は、矢印Ｒの如く、放出水路２３を通って、マッサージノズル１０の後方に流出する。このような放出水路２３を設けることにより、吐水口４の前面、すなわちガイドリング部５０Ａの内側における吐水の滞留を防止することができる。よって、ガイドリング部５０Ａの先端に被処理部位２１０をあてがった状態で吐水させても、吐水口４近傍の水流の分布の「くずれ」を防ぐことができ、負圧力が低下したり負圧領域が減少したりするおそれがなく、所期の吸引作用を得ることができる。
【００９１】
　図１８は、本発明の第４の実施例のマッサージノズルを表す模式図である。　すなわち、本実施例においては、ガイド部５０と、マッサージノズル本体との間に、複数の整流板５０Ｃが設けられている。ガイド部５０は、第３実施例と同様に、吐水口４の前方に突出したガイドリング部５０Ａと、ノズル後方に向けて延在したスカート部５０Ｂと、を有する。ガイドリング部５０Ａは、第３実施例と同様に、吐水口４から放出される吐水流の飛散を防止する。
【００９２】
　そして、整流板５０Ｃは、スカート部５０Ｂの内壁面と、マッサージノズル本体とを接続している。そして、これら整流板５０Ｃは、スカート部５０Ｂとマッサージノズル本体との間に形成される放出水路２３（図１７参照）を流れる吐水流を整流する「静翼」として作用する。
【００９３】
　つまり、放出水路２３を流れてノズル１０の側方または後方に流出する戻り吐水流は、旋回成分を保持している。このため、この吐水流が、放出水路２３からノズルの側方や後方に向けて飛散し、使用者に不快感を与える場合がありうる。
【００９４】
　これに対して、整流板５０Ｃを適宜設けることにより、これら戻り吐水流が有する旋回成分を吸収し、戻り吐水流の飛散を防ぐことができる。また、放出水路２３を流れる旋回流の旋回成分を吸収するように、整流板５０Ｃを傾斜させて設けたり、ひねりを与えてもよい。このようにすれば、流れの剥離を抑制し、スムーズに整流することができる。
【００９５】
　図１９は、本発明の第５の実施例のマッサージノズルを表す模式断面図である。　すなわち、本実施例においても、 吐水口４よりも前方に突出したガイドリング部５０Ａと、後方に延出したスカート部５０Ｂとを有するガイド部５０が設けられている。ただし、本実施例においては、ガイドリング部５０Ａは、ノズルの後方に向けて徐々に径が拡がり、スカート部５０Ｂに連続的に連なる。このようにすると、吐水をマッサージノズル後方に逃がすための放出水路２３を拡げることができ、ガイドリング部５０Ａの内部における吐水の滞留をより効果的に低減できる。その結果として、吐水口４の前面での水流の分布の「くずれ」を防いで、所期の吸引作用を維持できる。
【００９６】
　そして、吐水口４から吐水された吐水流がガイドリング部５０Ａの内壁に衝突するように設けることにより、図６に関して前述したように飛散防止効果が得られる。また同時に、ガイドリング部５０Ａの高さ（吐水口４からの突出量）を適宜設定することにより、図１３に関して前述したように吸引力を最適な値に調節することができる。
【００９７】
　また、本実施例においては、旋回室の内径が入水口５から吐水口に至るまで略同一のストレート形状とされている。このようにすると、旋回室内における圧力損失が低くなるため、送水水量を確保することができ、効率よく吸引力及び吐水力を得ることができる。つまり、同一の流体エネルギーにおいて、より高い吸引圧力が得られる。そして、本発明によれば、吐水口４から吐水される旋回流が衝突するようにガイド部５０を設けることにより、図６に関して前述したように飛散防止効果が得られる。つまり、本実施例において設けるストレート形状の旋回室においては、水の圧力損失が少ないのでより大きい流量が吐水され、このために、吐水の飛散を防止する本発明のガイド部を用いることがより効果的である。
【００９８】
　図２０は、本発明の第６の実施例のマッサージノズルを表す模式断面図である。　すなわち、本実施例においても、 吐水口４よりも前方に突出したガイドリング部５０Ａと、後方に延出したスカート部５０Ｂとを有するガイド部５０が設けられている。ただし、本実施例においては、ガイドリング部５０Ａとスカート部５０Ｂとは一体的な略円筒状に形成されている。このガイド部５０は、第３乃至第５実施例と同様に、図示しない支持体によりマッサージノズルの本体に固定され、吐水をマッサージノズル後方に逃がすための放出水路２３が形成されている。
【００９９】
　このように放出水路２３を形成することにより、第３乃至第５実施例と同様に、ガイドリング部５０Ａの内部における吐水の滞留をより効果的に低減できる。その結果として、吐水口４の前面での水流の分布の「くずれ」を防いで、所期の吸引作用を維持できる。
【０１００】
　そして、本実施例においても、吐水口４から吐水された吐水流がガイドリング部５０Ａの内壁に衝突するように設けることにより、図６に関して前述したように飛散防止効果が得られる。また同時に、ガイドリング部５０Ａの高さ（吐水口４からの突出量）を適宜設定することにより、図１３に関して前述したように吸引力を最適な値に調節することができる。
【０１０１】
　また、本実施例においもストレート形状の旋回室が設けられているので、水の圧力損失が少なく大きい流量が吐水され、このために、吐水の飛散を防止する本発明のガイド部を用いることがより効果的である。
【０１０２】
　本実施例は、ガイド部のスカート部５０Ｂがマッサージノズルの外周に突出せず、全体のサイズをコンパクトに抑えることができる点で有利である。
【０１０３】
　図２１は、本発明の第７の実施例のマッサージノズルを表す斜視図である。　　また、図２２は、その模式断面図である。　　
　本実施例においても、 吐水口４よりも前方に突出したガイドリング部５０Ａと、後方に延出したスカート部５０Ｂとを有するガイド部５０が設けられている。ただし、本実施例においては、ガイドリング部５０Ａとスカート部５０Ｂともに、マッサージノズルの外径Ｄ２よりも大きな内径を有し、マッサージノズルの外周を覆うように一体的な略円筒状に形成されている。このガイド部５０も、第３乃至第６実施例と同様に、図示しない支持体によりマッサージノズルの本体に固定され、吐水をマッサージノズル後方に逃がすための放出水路２３が形成されている。
【０１０４】
　このように放出水路２３を形成することにより、第３乃至第６実施例と同様に、ガイドリング部５０Ａの内部における吐水の滞留をより効果的に低減できる。その結果として、吐水口４の前面での水流の分布の「くずれ」を防いで、所期の吸引作用を維持できる。
【０１０５】
　そして、本実施例においても、吐水口４から吐水された吐水流がガイドリング部５０Ａの内壁に衝突するように設けることにより、図６に関して前述したように飛散防止効果が得られる。また同時に、ガイドリング部５０Ａの高さ（吐水口４からの突出量）を適宜設定することにより、図１３に関して前述したように吸引力を最適な値に調節することができる。
【０１０６】
　また、本実施例においもストレート形状の旋回室が設けられているので、水の圧力損失が少なく大きい流量が吐水され、このために、吐水の飛散を防止する本発明のガイド部を用いることがより効果的である。
【０１０７】
　本実施例は、特にマッサージノズル本体のサイズが小さい場合に、その外周にガイドリング部５０Ａを設けることによって、非処理部位に適度な変形を与えることができる点で有利である。
【０１０８】
　図２３は、本発明の第８の実施例のマッサージノズルの断面図である。　
　本実施例のマッサージノズルには、旋回部１とガイド部５０との間に、調節手段としてのバネ５１を設けてある。すなわち、人体にマッサージノズル１０を押し当てると、その力に応じて、バネ５１が延び縮みするような構造となっており吐水口４とガイド部５０先端の距離が可変する。よって、マッサージする際に、使用者がマッサージノズル１０の押し当てる力を変えることによって、自在に吐水口４と、皮膚との距離を調整することができるため、使用者が好みの引っ張り感や吸引力を得ることが可能となる。つまり、使用者は、被処理部位にガイド部５０を押し当てる力を加減することにより、ガイド部５０を適宜押し戻し、吸引力をリアルタイムに調節しながら好みの吸引力で吸引マッサージを実施することができる。
【０１０９】
　またさらに、図２４に表したように、吐水口４を被処理部位２１０に対して傾斜させて押し当てた場合にも、バネ５１が傾斜を吸収することによってガイド部５０を、被処理部位２１０の表面に追従させることができる。その結果として、均一な吸引力を被処理部位２１０に作用させることができる。つまり、使用者は、マッサージノズルの吐水口４が被処理部位に対して常に平行にあてるように気遣う必要がなくなり、操作性が大幅に向上する。
【０１１０】
　そして、本実施例においても、吐水口４から吐水された吐水流がガイド部５０の内壁に衝突するように設けることにより、図６に関して前述したように飛散防止効果が得られる。また同時に、ガイド部５０の高さ（吐水口４からの突出量）を適宜設定することにより、図１３に関して前述したように吸引力を最適な値に調節することができる。
【０１１１】
　図２５は、本発明の第９の実施例のマッサージノズルの模式断面図である。
【０１１２】
　本実施例のマッサージノズルは、ガイド部５２の材質がスポンジとなっている。使用者がマッサージノズル１０の押し当てる力を変えることによって、ガイド部５２は延び縮みするため、皮膚との距離を調整することができ、使用者が好みの吸引力を得ることが可能となる。
【０１１３】
　またこの場合も、図２６に表したように、吐水口４を被処理部位２１０に対して傾斜させて押し当てた場合にも、スポンジがその傾斜を吸収するように縮んで、ガイド部５２を被処理部位２１０の表面に追従させることができる。その結果として、均一な吸引力を作用させることができ、操作性が大幅に向上する。また特に、本実施例の場合、ガイド部を構成するスポンジは、人体の被処理部位が有する複雑な曲面に対しても柔軟に追従し、均一な吸引力を作用させることができる点で有利である。同様の効果は、ガイド部５２の材料としてシリコンゴム等の柔らかいゴム材などを用いた場合にも得られる。また、さらに、これら柔らかい材料は、径方向にも変形が可能であるので、旋回流の旋回成分を吸収し、吐水の飛散をより確実に防止できるという作用効果も奏する。
【０１１４】
　そして、本実施例においても、吐水口４から吐水された吐水流がガイド部５２の内壁に衝突するように設けることにより、図６に関して前述したように飛散防止効果が得られる。また同時に、ガイド部５２の高さ（吐水口４からの突出量）を適宜設定することにより、図１３に関して前述したように吸引力を最適な値に調節することができる。
【０１１５】
　図２７は、本発明の第１０の実施例のマッサージノズルの断面図である。　
　本実施例のマッサージノズルには、着脱可能な着脱ガイド部５６が設けられている。この場合、大きさや形さらには高さを変えた着脱ガイド部５６を自在に付け替えることが可能となる。つまり、着脱ガイド部５６を適宜交換することにより、ガイド部の高さ、すなわち吐水口４からガイド部の先端までの距離のみならず、ガイド部の大きさなども自在に調整できる。よって、着脱ガイド部５６の大きさや高さを変えることにより皮膚に対する吸引力や、吸引力によって生じる皮膚の変位を好みに応じて選択して使用することが可能となる。着脱ガイド部５６と旋回部１との嵌合部は、図２７のようにねじを設けてあるが、Ｏリング等を利用したはめ込み式や、クランク溝などを利用した着脱方式を用いることができる。例えば、図２８に一部拡大図として表したように、旋回部１に凹部１Ｒを設け、一方、着脱ガイド部５６に凸部５６Ｐを設け、これらを嵌合させることにより着脱ガイド部５６を固定することができる。
【０１１６】
　着脱ガイド部５６に使用する材質としては、プラスチックやスポンジの他、防水性の紙等を用いることができる。　
　また、このようにガイド部を着脱自在とした場合には、使用者毎に着脱ガイド部の色を変えるなどして、使い分けることにより使用者の衛生感覚に配慮することも可能となる。
【０１１７】
　そして、本実施例においても、吐水口４から吐水された吐水流が着脱ガイド部５６の内壁に衝突するように設けることにより、図６に関して前述したように飛散防止効果が得られる。
【０１１８】
　なお、着脱ガイド部５６と旋回部１との嵌合部の着脱機構として、ネジ式やはめ込み式などの回転を伴う機構を採用する場合には、旋回流の旋回方向に着脱ガイド部を回した時に固定されるように、その回転方向を決定するとよい。つまり、吐水口４からは、所定の方向に旋回する吐水が放出される。この旋回吐水は、着脱ガイド部５６に対して回転させる力を作用させる。従って、マッサージノズルの使用中に、この回転力によって着脱ガイド部５６が外れることがないように、その固定方向を決定することが望ましい。
【０１１９】
　図２９は、本発明の第１１の実施例のマッサージノズルの断面図である。　
　本実施例のマッサージノズルには、ガイド部５０と一体的に着脱自在とされた吐水部５７が設けられている。よって、吐水口の径やガイド部の大きさや形さらには高さを変えた吐水部５７を自在に付け替えることが可能となる。例えば、人体の各部位に最適な吐水部５７は複数個用意する。そして、被処理部位や使用者の好みなどに応じて最適な吸引力が得られるように、吐水口４からガイド部の先端５０Ｐまでの距離を有する吐水部５７を適宜装着して吸引マッサージを実施できる。また、太股をマッサージする場合には、吐水口４の内径がφ２０ｍｍ以上の吐水部５７を用いたり、顔用には吐水口４の内径が１０ｍｍ以下の吐水部５７を用いることにより、使用者が部位に応じ快適なマッサージを行うことが可能となる。
【０１２０】
　そして、本実施例においても、吐水口４から吐水された吐水流がガイド部５０の内壁に衝突するように設けることにより、図６に関して前述したように飛散防止効果が得られる。
【０１２１】
　また、本実施例においても、吐水部５７と旋回部１との嵌合部は、図２９に例示したねじ式の他に、Ｏリング等を利用したはめ込み式や、クランク溝などを利用した着脱方式などの各種の着脱方式を用いることができる。そして、吐水部５７と旋回部１との嵌合部の着脱機構として、ネジ式やはめ込み式などの回転を伴う機構を採用する場合には、前述した如く、旋回流の旋回方向に回した時に固定されるように、その回転方向を決定するとよい。
【０１２２】
　図３０は、本発明の第１２の実施例のマッサージノズルの断面図である。
【０１２３】
　すなわち、本実施例のマッサージノズルには、吐水口４の周囲から突出した第１のガイド部５０ａと、その外周を取り囲むように設けられた第２のガイド部５０ｂと、が設けられている。これらガイド部５０ａ、５０ｂの形状は、略円筒体でもよく、また楕円筒体や、多角形の筒状体、もしくは不定形の筒状体などでもよい。
【０１２４】
　第１のガイド部５０ａは旋回部１に固定され、第２のガイド部５０ｂは、矢印Ａの方向に連続的または段階的に移動し固定可能に設けられている。第２のガイド部５０ｂの位置を適宜調節することにより、使用者の好みなどに応じて最適な吸引力が得られるように、吐水口４からガイド部の先端５０Ｐまでの距離を調整して吸引マッサージを実施できる。また、第２のガイド部５０ｂを取り外した状態でも使用可能とすれば、調整範囲がさらに拡大する。
【０１２５】
　そして、本実施例においても、吐水口４から吐水された吐水流がガイド部５０ａ、５０ｂの内壁に衝突するように設けることにより、図６に関して前述したように飛散防止効果が得られる。
【０１２６】
　ここで、第２のガイド部５０ｂは、第１のガイド部５０ａに対して、摩擦力により固定されるようにしてもよく、あるいは、ネジ式、Ｏリングなどを利用した固定方式、クランク溝などを利用した固定方式、ラッチあるいは切り欠き溝などを利用した固定方式などの各種の機構により移動と固定とを可能とすることができる。そして、第２のガイド部５０ｂの固定機構として、ネジ式やはめ込み式などの回転を伴う機構を採用する場合には、前述した如く、旋回流の旋回方向に回した時に固定されるように、ガイド部の回転方向を決定するとよい。
【０１２７】
　また、図３０には、第１のガイド部５０ａの外側を取り囲むように第２のガイド部５０ｂが設けられた具体例を表したが、これとは逆に、第１のガイド部５０ａの内側に第２のガイド部５０ｂが内装されるようにしてもよい。また、３つ以上のガイド部を組み合わせることにより、さらに調整範囲を拡大することもできる。
【０１２８】
　図３１は、本発明の第１３の実施例のマッサージノズルの断面図である。本実施例においても、吐水口４から吐水された旋回流が衝突するようにガイド部５０が設けられている。そして、さらに本実施例のマッサージノズルには、ガイド部５０に水圧調整手段５３を設けてある。ガイド部に設けられた水圧調整手段５３によりガイド部内側の水圧が調整されるため過剰な吐水力が皮膚に達することを抑制することができる。水圧調整手段５３としては、圧力に応じて穴の大きさが変化するゴムや、高分子の多孔体等を用いることができる。図には記載していないが、水圧調整手段５３から漏れ出た水が飛散しないように水圧調整手段５３の外周側に第２のガイド部を形成してもよい。
【０１２９】
　そして、本実施例においても、吐水口４から吐水された吐水流がガイド部５０の内壁に衝突するように設けることにより、図６に関して前述したように飛散防止効果が得られる。水圧調整手段５３を穴の大きさが変化するゴムや多孔体などにより形成した場合、吐水がこれら水圧調整手段５３を介してガイド部５０の外側に漏出するが、その水勢は大幅に弱められているために、飛散による不快感などが生ずることはない。
【０１３０】
　図３２は、本発明の第１４の実施例のマッサージノズルの斜視図である。　
　本実施例においても、吐水口４から吐水された旋回流が衝突するようにガイド部５０が設けられている。そしてさらに、本実施例のマッサージノズルには、ガイド部５０の側面に貫通口５４を有し、さらにガイド部５０の外周側にガイド部５０よりも径の大きな外周ガイド部５５が形成されている。人体にマッサージノズル１０を接触させて吐水する場合には、吐水口４から出た水がガイド部５０先端と人体を介し流れるとともに、一部の水は漏れ出すため過剰な吐水力が皮膚に達することを抑制できる。また、貫通口５４を通じて流れ出た水も外周ガイド部５５にあたり、人体方向へと導かれるため、飛散の心配もなく快適に使用することが可能となる。
【０１３１】
　なお、外周ガイド部５５の形状は図３２のような円筒体はもとより、楕円筒体や多角形の筒状体でも構わない。
【０１３２】
　図３３は、本発明の第１５の実施例のマッサージノズルの断面図である。　
　また、図３４は本実施例のマッサージノズル１０を有するマッサージ装置の全体概略図である。　
　本実施例においても、吐水口４から吐水する旋回流が衝突するようにガイド部５０が設けられている。そしてさらに、本実施例のマッサージノズルには、ガイド部５０と人体が接触したことを感知する感知手段５８が設けられている。この感知手段５８には、マッサージノズル１０が人体と接触した場合にガイド部にかかる圧力を感知する圧力センサーや、変位を感知する変位センサーを用いることができる。
【０１３３】
　また、図３４の本発明のマッサージ装置は、感知手段５８が内蔵されているマッサージノズル１０と、ポンプ５００と、ポンプ５００が浴槽１００内から浴槽水１１０を吸い上げる水配管６０と、ポンプ５００からマッサージノズル１０へ浴槽水１１０を供給する送水路３０と、ポンプ５００の駆動を指示する制御部２１と感知手段５８と制御部２１とを結ぶ通信部２６から構成される。マッサージノズル１０のガイド部５０が人体と接触すると、感知手段５８から通信部２６を経由して制御部２１に人体が接触していることを伝え、制御部２１がポンプ５００の駆動を指示することによって、マッサージノズル１０から吐水される。図示しないが通信部２６は、ビニールなどで被覆された金属線を用い送水路３０中に埋設させたり、無線により制御部２１と通信してもかまわない。
【０１３４】
　図３５及び図３６は、本発明の第１６の実施例のマッサージノズルの断面図である。
【０１３５】
　本実施例においても、吐水口４から吐水される旋回流が衝突するようにガイド部５０が設けられている。そしてさらに、本実施例のマッサージノズルには、旋回室内に対し突出量が変更可能となるように設けられた突出部５９と手動スイッチ６０から構成された旋回流制御手段が設けられている。図３５では手動スイッチが押された場合を示している。この場合、突出部５９が旋回室内にはみ出すことにより旋回室内の旋回流が抑制されるため、円錐状の吐水による飛散が抑制されるとともに吐水口付近の吸引力を弱めることができる。
【０１３６】
　一方、図３６は、突出部５９が旋回室に側面に沿って格納された状態を示している。この場合、旋回流を維持したまま吐水されるので吐水口付近では強い吸引力が得られる。よって、突出部の旋回室内へのはみ出しを手動スイッチ６０により段階的に制御することで、旋回流の強弱（すなわち遠心方向の力）が可変となるため、吐水口からの旋回吐水方向、および中心部に発生する吸引力を可変とすることが可能となり、使用者は好みに応じて吸引マッサージの強弱を簡便に変化させることができる。
【０１３７】
　そして、本実施例においても、吐水口４から吐水された吐水流がガイド部５０の内壁に衝突するように設けることにより、図６に関して前述したように飛散防止効果が得られる。
【０１３８】
　図３７は、本発明の第１７の実施例のマッサージノズルの断面図である。　
　本実施例においても、吐水口４からと椅子される旋回流が衝突するようにガイド部５０が設けられている。そしてさらに、本実施例のマッサージノズルには、前記旋回室内の中心軸上に空気取り込み口６１が設けられている。この場合、旋回室中心部付近は負圧となる領域が生じるために、空気取り込み口６１から空気が旋回室中心部に吸引され、気泡を巻き込んだ水が吐水される。空気取り込み口６１は図示しないが、旋回室３の吐水口４と反対側の壁面中央にマッサージノズル１０外部と通ずる小穴を設け、外気と通じるように構成しても良い。すなわち、旋回部１の底面１Ｂに小穴を設けて外気と通じさせ、この小穴と空気取り込み口６１とを連通させてもよい。このとき、空気取り込み口６１は、例えば、旋回室３の底面３Ｒに設けられていてもよい。
【０１３９】
　そして、本実施例においても、吐水口４から吐水された吐水流がガイド部５０の内壁に衝突するように設けることにより、図６に関して前述したように飛散防止効果が得られる。
【０１４０】
　図３８は、本発明の第１８の実施例のマッサージの側面図である。　
　本実施例においても、吐水口４から吐水される旋回流が衝突するようにガイド部５０が設けられている。そしてさらに、本実施例においては、ガイド部５０の少なくとも一部が透明な材料により形成されている。このように、ガイド部５０の少なくとも一部を透明の材料で形成することにより、被処理部位２１０の吸引状態を目視により確実に確認できる。本発明者の試作検討の結果によれば、ガイド部５０を透明にすると、多くの場合に、被験者は、皮膚から受ける感触よりもはるかに大きな変位が得られていることを肉眼により確認して驚くことが多かった。つまり、本発明のマッサージノズルにより吸引マッサージを実施する場合、目視により観察される実際の変位量は、皮膚から受ける感覚よりもかなり大きな場合が多い。そして、肉眼によりこの変位を確認することによって、その効果への期待感や信頼感、安心感などが得られ、マッサージ効果やその他各種の生体効果を増進させることが可能となる。
【０１４１】
　そして、本実施例においても、吐水口４から吐水された吐水流がガイド部５０の内壁に衝突するように設けることにより、図６に関して前述したように飛散防止効果が得られる。
【０１４２】
　なお、本実施例においては、被処理部位の変形状態を肉眼で確認できればよいので、ガイド部５０の全体が透明である必要はない。また、その材質についても、必ずしも無色透明である必要はなく、有色透明や半透明などであっても肉眼で内部を識別しうるものであればよい。
【０１４３】
　また、旋回部１の一部（例えば、側面や底面）のみが透明な材料により形成されていてもよい。これにより、吐水口から旋回室内に引き込まれた皮膚の状態も目視が可能となり、また、横方向からの目視に加えて斜め方向や正面から皮膚の変形状態を目視できるため、上述した確認効果がさらに増す。
【０１４４】
　以上、図１乃至図３８を参照しつつ本発明のマッサージノズルについて説明した。次に、これらのマッサージノズルを用いた本発明のマッサージシステムについて説明する。　
　すなわち、図１乃至図３８に関して前述した本発明のマッサージノズルを、送水手段などと組み合わせることにより、吸引マッサージが実施可能なマッサージシステムが実現する。　
　図３９及び図４０は、本発明の第１の実施例のマッサージシステムを、斜め正面側、及び斜め後方側からそれぞれ眺めた模式図である。　
　また、図４１は、このマッサージシステムの要部構成を表すブロック図である。
【０１４５】
　すなわち、本実施例のマッサージシステムをその外部から眺めると、筺体７０と、その正面から伸びる可撓性ホース３０と、その先端に設けられたマッサージノズル１０と、を有する。筺体７０には、電源スイッチ７２、流量調節バルブ７４、取水口７６、持ち穴７８、電源コード８０などが適宜設けられている。　筺体７０の内部には、送水手段５００が収容されている。送水手段５００は、例えば耐水処理が施された電動式の送水ポンプを内蔵し、取水口７６から取り入れた水（お湯）を可撓性ホース３０を介してマッサージノズル１０に送出する。送水ポンプは、例えば、筺体７０の外部から交流または直流の電力の供給を受けるようにしてもよく、または、筺体７０の中に充電池などの電源を内蔵して電力を供給してもよい。いずれの場合にも、浴槽内の湯に沈めて安全に使用できるよう、所定の耐水処理が適宜実施されている。　
　また、図３７に表したように空気を混入させる場合は、マッサージノズル１０の空気取り込み口６１が外気と通じるよう、空気配管が適宜設けられる。
【０１４６】
　一方、マッサージノズル１０は、図３９に例示した如く、シャワーヘッドに類似した外観を有する。同図に表したマッサージノズル１０Ａは、その先端付近を「わしづかみ」にして用いるのに適した形状を有する。またマッサージノズル１０Ｂは、通常のシャワーヘッドの如くその根本部分を保持して用いるのに適した形状を有する。　
　これらマッサージノズル１０（１０Ａ、１０Ｂ）は、図１乃至図３８に関して前述したように、吐水口４から吐水される旋回流が衝突するように設けられたガイド部を備えている。
【０１４７】
　図４２は、本実施例のマッサージシステムの使用状態を説明するための模式図である。すなわち、使用者２００は、湯１１０をはった浴槽１００の中に本発明のマッサージシステムを設置し、筺体７０の上に腰掛けた状態でマッサージノズル１０を操作することができる。この際に、図４に関して前述したように吐水流Ｄにより形成される水膜によりガイド部５０の先端が覆われるため、人体の被処理部位２１０の表面は常に均質な水膜に保護され、人体はマッサージノズルから過度の摩擦抵抗を受けず、不快な刺激が無く、使用感に優れる。浴槽内の水（お湯）の中に浸した状態で用いると、吸引力を低下させる空気層（空洞）が旋回室内に形成されることを抑制でき、より効果的である。また、浴槽１００内のお湯１１０を循環使用する点で、節水効果も高い。
【０１４８】
　本実施例のマッサージシステムによれば、図１乃至図３８に関して前述したように、吐水口４から吐水される旋回流が衝突するようにガイド部が設けられている。従って、旋回流の飛散が抑制され、使用者は、水の飛散による不快感を受けることなく吸引マッサージを実施することができる。
【０１４９】
　また、マッサージノズル１０が筺体７０に対して可撓性ホース３０により接続されているので、マッサージノズル１０を使用者の身体のあらゆる部分の被処理部位に対して柔軟且つ自在にあてることができる。
【０１５０】
　また、本実施例によれば、使用者２００は、コンパクトな筺体７０の上に腰掛けた状態でマッサージノズル１０を操作できる。その結果、使用者２００は、常にリラックスした状態で吸引マッサージすることができる。またさらに、上半身、例えば脇の下から二の腕を吸引マッサージするような場合でも、マッサージノズル１０を浴槽の湯１１０の中に浸した状態で操作することが可能である。しかも、マッサージしづらいヒップや太ももの裏側などが、腰掛けていることにより浴槽底面から浮いた状態となることにより、マッサージするスペースが生じ、下半身、例えば、ヒップや太ももの裏側まで、まんべんなく吸引マッサージすることができる。従って、これらの部位につきやすい「セルライト（老廃物と脂肪の塊）」を揉みほぐすことにより、老廃物の排出を促進し、セルライトを正常な脂肪に改善することができる。その結果として、人体の「引き締め効果」が得られる。
【０１５１】
　図４３は、本発明のマッサージシステムの第２の実施例を表す模式図である。すなわち、同図は、浴槽１００と組み合わされたマッサージシステムを表す。　
　本実施例の場合、浴槽１００の中にノズル収容部１２０が設けられ、図１乃至図３８に関して前述した本発明のマッサージノズル１０は、このノズル収容部１２０に収容可能とされている。そして、送水手段５００は、水配管６０を介して浴槽１００の中の水（お湯）を取水し、可撓性ホース３０を介してマッサージノズル１０に送出する。
【０１５２】
　本実施例においては、図４３（ａ）に表したように、ノズル収容部１２０にマッサージノズル１０を収納した状態で、使用者は、浴槽１００内に入浴しマッサージノズル１０に被処理部位をあてがうことにより吸引押圧マッサージを受けることができる。この時、マッサージノズル１０は、水没していてもよく、お湯よりも上に露出していてもよい。但し、マッサージノズル１０を水没させたほうがより強い吸引マッサージを受けることができる。　
　また一方、図４３（ｂ）に表したように、マッサージノズル１０をノズル収容部１２０から取り外して用いることができる。本実施例においては、マッサージノズル１０は、可撓性ホース３０により接続されているので、使用者は、マッサージノズル１０を自由な位置に移動させ、被処理部位にあてて使用することができる。
【０１５３】
　なお、本実施例においても、送水手段５００により浴槽１００内のお湯（水）をマッサージノズル１０に供給する。つまり、浴槽１００内のお湯を循環使用する点で、節水効果が高い。そして、図１乃至図３８に関して前述したように、吐水口４から吐水された吐水流がガイド部５０の内壁に衝突するように設けることにより、吐水流の飛散防止効果が得られ、使用者は、水の飛散による不快感を受けることなく吸引マッサージを実施することができる。
【０１５４】
　図４４は、本発明のマッサージシステムの第３の実施例を表す模式図である。同図については、図１乃至図３８に関して前述したものと同様の要素には同一の符号を付して詳細な説明は省略する。　
　本実施例においては、浴槽１００のお湯を循環させる送水手段の代わりに、お湯（または水）の供給部４００が設けられている。供給部４００としては、例えば、浴槽１００にお湯を供給するための給湯器を兼用することができる。　
　本実施例の場合には、供給部４００を設けることより、浴槽１００内にお湯がない状態においても、本発明のマッサージノズル１０を用いた吸引押圧マッサージを受けることができる。もちろん、浴槽１００内にお湯がはられた状態においても、吸引押圧マッサージを同様に実施することができる。　
　そして、図４４（ｂ）に表したように、可撓性ホース３０を伸ばすことにより、マッサージノズル１０を取り外して所望の被処理部位に向けて使用することができる。また、本実施例においては、図４３に関して前述したような送水手段５００や循環のための水配管６０を設ける必要がないため、マッサージシステムの構造を簡略化させ、低コストで提供することが可能である。
【０１５５】
　図４５は、本発明のマッサージシステムの第４の実施例を表す模式図である。同図についても、図１乃至図４４に関して前述したものと同様の要素には同一の符号を付して詳細な説明は省略する。　
　本実施例においては、ノズル収容部１２０が浴槽１００の周縁の、いわゆる「エプロン」の部分に設けられている。吸引押圧マッサージを実施する場合には、マッサージノズル１０を簡単に取り外し、使用者の人体の各所に容易にあてがうことができる。ノズル収容部１２０を浴槽１００のエプロンに設置すると、マッサージノズル１０を取り外すことが極めて容易となる。また、浴槽１００内に入浴した状態で、マッサージノズル１０が邪魔になる心配もない。　
　そして、本発明においても、可撓性ホース３０によりノズル収容部１２０とマッサージノズル１０とを接続することにより、マッサージノズル１０を自在に取り扱うことができる。
【０１５６】
　また、本実施例においても、浴槽１００内のお湯を循環使用する点で、節水効果が高く、また、図１乃至図３８に関して前述したように、吐水口４から吐水される旋回流が衝突するようにガイド部が設けられている。従って、旋回流の飛散が抑制され、使用者は、水の飛散による不快感を受けることなく吸引マッサージを実施することができる。
【０１５７】
　図４６は、本発明のマッサージシステムの第５の実施例を表す模式図である。同図についても、図１乃至図４５に関して前述したものと同様の要素には同一の符号を付して詳細な説明は省略する。　
　本実施例においても、ノズル収容部１２０が浴槽１００の周縁の「エプロン」の部分に設けられている。このため、マッサージノズル１０を取り外すことが極めて容易となる。また、浴槽１００内に入浴した状態で、マッサージノズル１０が邪魔になる心配もない。
【０１５８】
　また、本実施例においても、可撓性ホース３０によりノズル収容部１２０とマッサージノズル１０とを接続することにより、マッサージノズル１０を自在に取り扱うことができる。さらに、送水手段５００や循環のための水配管６０を設ける必要がないため、マッサージシステムの構造を簡略化させ、低コストで提供することが可能である。そして、図１乃至図３８に関して前述したように、吐水口４から吐水される旋回流が衝突するようにガイド部が設けられている。従って、旋回流の飛散が抑制され、使用者は、水の飛散による不快感を受けることなく吸引マッサージを実施することができる。
【０１５９】
　以上具体例を参照しつつ本発明の実施の形態について説明した。しかし、本発明は、これらの具体例に限定されるものではない。　
　すなわち、本発明のマッサージノズル及びマッサージシステムを構成するいずれかの要素について当業者が設計変更を加えたものであっても、本発明の要旨を備えたものであれば、本発明の範囲に包含される。
【０１６０】
　例えば、マッサージノズルの外形や、吐水口とのサイズの比率、あるいは入水部の位置関係などについては、旋回流が得られ、その結果として負圧部が形成される範囲内であれば、本発明に包含される。
【図面の簡単な説明】
【０１６１】
【図１】本発明の実施の形態にかかるマッサージノズルの斜視図である。
【図２】本発明の実施の形態にかかるマッサージノズルの断面図である。
【図３】図２のＡ−Ａ線断面図である。
【図４】本発明の実施にかかるマッサージノズルの動作を説明するための模式図である。
【図５】ガイド部５０が設けられてない比較例のマッサージノズルを表す模式図である。
【図６】ガイド部５０を設けることにより、吐水口４から矢印Ａの方向に吐水された旋回吐水は、ガイド部５０に衝突し、その水勢が弱められることを表す模式図である。
【図７】（ａ）は、マッサージノズルに供給する水の流量と、旋回流の吐水角度との関係を表すグラフ図であり、（ｂ）は、マッサージノズルの模式断面図である。
【図８】ガイド部５０を設けることによる吐水の放出状態の変化を表す写真である。
【図９】（ａ）は、ガイド部５０の高さと吐水角度との関係を表すグラフ図であり、（ｂ）は、マッサージノズルの模式断面図である。
【図１０】マッサージノズルの模式断面図である。
【図１１】マッサージノズル１０の使用状態を例示する模式図である。
【図１２】本発明者が実施した測定の方法を表す模式図である。
【図１３】吐水口からの距離と吸引力との関係を表すグラフ図である。
【図１４】本発明の第２の実施例のマッサージノズルの正面図である。
【図１５】図１０のＡ−Ａ線断面図である。
【図１６】本発明の第３の実施例のマッサージノズルの正面図である。
【図１７】図１２のＡ−Ａ線断面図である。
【図１８】本発明の第４の実施例のマッサージノズルを表す模式図である。
【図１９】本発明の第５の実施例のマッサージノズルを表す模式断面図である。
【図２０】本発明の第６の実施例のマッサージノズルを表す模式断面図である。
【図２１】本発明の第７の実施例のマッサージノズルの斜視図である。
【図２２】本発明の第７の実施例のマッサージノズルの断面図である。
【図２３】本発明の第８の実施例のマッサージノズルの断面図である。
【図２４】吐水口４を被処理部位２１０に対して傾斜させて押し当てた状態を表す模式図である。
【図２５】本発明の第９の実施例のマッサージノズルの模式断面図である。
【図２６】吐水口４を被処理部位２１０に対して傾斜させて押し当てた状態を表す模式図である。
【図２７】本発明の第１０の実施例のマッサージノズルの断面図である。
【図２８】マッサージノズルの一部拡大図である。
【図２９】本発明の第１１の実施例のマッサージノズルの断面図である。
【図３０】本発明の第１２の実施例のマッサージノズルの断面図である。
【図３１】本発明の第１３の実施例のマッサージノズルの断面図である。
【図３２】本発明の第１４の実施例のマッサージノズルの斜視図である。
【図３３】本発明の第１５の実施例のマッサージノズルの断面図である。
【図３４】第１５実施例のマッサージノズル１０を有するマッサージ装置の全体概略図である。
【図３５】本発明の第１６の実施例のマッサージノズルの断面図である。
【図３６】本発明の第１６の実施例のマッサージノズルの断面図である。
【図３７】本発明の第１７の実施例のマッサージノズルの断面図である。
【図３８】本発明の第１８の実施例のマッサージの側面図である。
【図３９】本発明のマッサージシステムの第１の実施例を斜め正面側から眺めた模式図である。
【図４０】本発明のマッサージシステムの第１の実施例を斜め後方側から眺めた模式図である。
【図４１】第１実施例のマッサージシステムの要部構成を表すブロック図である。
【図４２】第１実施例のマッサージシステムの使用状態を説明するための模式図である。
【図４３】本発明のマッサージシステムの第２の実施例を表す模式図である。
【図４４】本発明のマッサージシステムの第３の実施例を表す模式図である。
【図４５】本発明のマッサージシステムの第４の実施例を表す模式図である。
【図４６】本発明のマッサージシステムの第５の実施例を表す模式図である。
【符号の説明】
【０１６２】
　１ 旋回部
　２ 接続部
　３ 旋回室
　４ 吐水口
　５ 入水口
　６ 導入路
　７ 旋回流路
１０、１０Ａ、１０Ｂ マッサージノズル
２１ 制御部
２３ 放出水路
２６ 通信部
３０ 可撓性ホース（送水路）
５０ ガイド部
５０Ａ ガイドリング部
５０Ｂ スカート部
５０Ｃ 整流板
５０ａ、５０ｂ ガイド部
５１ バネ
５２ ガイド部
５３ 水圧調整手段
５４ 貫通口
５５ 外周ガイド部
５６ 着脱ガイド部
５６Ｐ 凸部
５７ 吐水部
５８ 感知手段
５９ 突出部
６０ 水配管
７０ 筺体
７２ 電源スイッチ
７４ 流量調節バルブ
７６ 取水口
７８ 持ち穴
８０ 電源コード
１００ 浴槽
１１０ 浴槽水
１２０ ノズル収容部
２００ 使用者
２１０ 被処理部位
４００ 供給部
５００ ポンプ（送水手段）
Ｚ 旋回軸
【図１】
2004136085.tif 000003
【図２】
2004136085.tif 000004
【図３】
2004136085.tif 000005
【図４】
2004136085.tif 000006
【図５】
2004136085.tif 000007
【図６】
2004136085.tif 000008
【図７】
2004136085.tif 000009
【図８】
2004136085.tif 000010
【図９】
2004136085.tif 000011
【図１０】
2004136085.tif 000012
【図１１】
2004136085.tif 000013
【図１２】
2004136085.tif 000014
【図１３】
2004136085.tif 000015
【図１４】
2004136085.tif 000016
【図１５】
2004136085.tif 000017
【図１６】
2004136085.tif 000018
【図１７】
2004136085.tif 000019
【図１８】
2004136085.tif 000020
【図１９】
2004136085.tif 000021
【図２０】
2004136085.tif 000022
【図２１】
2004136085.tif 000023
【図２２】
2004136085.tif 000024
【図２３】
2004136085.tif 000025
【図２４】
2004136085.tif 000026
【図２５】
2004136085.tif 000027
【図２６】
2004136085.tif 000028
【図２７】
2004136085.tif 000029
【図２８】
2004136085.tif 000030
【図２９】
2004136085.tif 000031
【図３０】
2004136085.tif 000032
【図３１】
2004136085.tif 000033
【図３２】
2004136085.tif 000034
【図３３】
2004136085.tif 000035
【図３４】
2004136085.tif 000036
【図３５】
2004136085.tif 000037
【図３６】
2004136085.tif 000038
【図３７】
2004136085.tif 000039
【図３８】
2004136085.tif 000040
【図３９】
2004136085.tif 000041
【図４０】
2004136085.tif 000042
【図４１】
2004136085.tif 000043
【図４２】
2004136085.tif 000044
【図４３】
2004136085.tif 000045
【図４４】
2004136085.tif 000046
【図４５】
2004136085.tif 000047
【図４６】
2004136085.tif 000048